(57)【特許請求の範囲】
【請求項１】
ＥＭＭに更新番号を付与する更新番号設定方法において、送出するＥＭＭの情報量が所定量より多い場合、前記ＥＭＭを前記所定量以下になるように複数に分割して連続して送出し、かつ前記分割後のそれぞれのＥＭＭに対して、番号部とフラグ部に分けられた更新番号であって、前記番号部の数値が同一で、かつ前記フラグ部のフラグ位置が異なる更新番号を付与することを特徴とするＥＭＭの更新番号設定方法。
【請求項２】
ＥＭＭの送信側装置が、ＥＭＭに更新番号を付して送信し、ＥＭＭの受信側装置が、受信したＥＭＭの更新番号に基づいて前記ＥＭＭを処理するかどうかを決定するＥＭＭ放送方法において、
送信側装置は、送出するＥＭＭの情報量が所定値を超える場合、所定値内になるように当該ＥＭＭを分割し、
分割したＥＭＭのそれぞれには、番号部とフラグ部に分けられた更新番号であって、前記番号部の数値が同一で前記フラグ部のフラグ位置が異なる更新番号を付与し、
受信側装置は、受信したＥＭＭの更新番号の番号部の数値を既に処理したＥＭＭの更新番号の番号部の数値と比較し、
新たに受信したＥＭＭの更新番号の番号部の数値が、既に処理したＥＭＭの更新番号の番号部の数値より大きい場合、
または、
新たに受信したＥＭＭの更新番号の番号部の数値が、既に処理したＥＭＭの更新番号の番号部の数値と同じであり、かつ、新たに受信した前記ＥＭＭの更新番号のフラグ部のフラグ位置が、既に処理したＥＭＭの更新番号のフラグ部のフラグ位置と異なる場合に、
新たに受信したＥＭＭを処理することを特徴とするＥＭＭ放送方法。
【請求項３】
送信側装置は、前記更新番号の番号部の数値が同一で前記更新番号のフラグ部のフラグ位置が異なる更新番号を付与した複数のＥＭＭを連続して送信することを特徴とする請求項２に記載のＥＭＭ放送方法。
【請求項４】
前記送信側装置は、確実な処理を求めるＥＭＭに対して特定の数値のみから成る更新番号を付与し、
受信側装置は、受信したＥＭＭの更新番号が前記特定の数値のみから成るとき、前記ＥＭＭを無条件で処理する
ことを特徴とする請求項２に記載のＥＭＭ放送方法。
【請求項５】
ＥＭＭの送信側装置が、ＥＭＭに更新番号を付して送信し、ＥＭＭの受信側装置が、受信したＥＭＭの更新番号に基づいて前記ＥＭＭを処理するかどうかを決定するＥＭＭ放送システムにおいて、
送信側装置は、
ＥＭＭを作成するＥＭＭ作成手段と、
作成されたＥＭＭの情報量が所定値を超える場合、所定値内になるように当該ＥＭＭを分割するＥＭＭ分割手段と、
更新番号のデータベースと、
更新番号のフラグを管理するフラグ管理手段と、
番号部とフラグ部とに分かれた更新番号をＥＭＭに割り当て、
前記ＥＭＭ分割手段が分割したＥＭＭのそれぞれには、前記番号部の数値が同一で前記フラグ部のフラグ位置が異なる更新番号を付与する更新番号割り当て手段とを具備し、
受信側装置のセキュリティモジュールは、
既に処理したＥＭＭの更新番号の番号部とフラグ部を記憶する更新番号記憶手段と、
前記既に処理したＥＭＭの更新番号の番号部の数値と新たに受信したＥＭＭの更新番号の番号部の数値とを比較し、新たに受信したＥＭＭの更新番号の番号部の数値が、既に処理したＥＭＭの更新番号の番号部の数値より小さい場合にＥＭＭ処理不要と判定し、既に処理したＥＭＭの更新番号の番号部の数値より大きい場合にＥＭＭ処理要と判定する更新番号判定手段と、
前記更新番号判定手段において更新番号の番号部の数値が同一と判定したＥＭＭに対し、既に処理したＥＭＭの更新番号との間で更新番号のフラグ部の比較を行い、前記更新番号のフラグ部のフラグ位置が同じ場合にＥＭＭ処理不要と判定し、フラグ位置が異なる場合にＥＭＭ処理要と判定するＥＭＭフラグ管理手段
とを具備することを特徴とするＥＭＭ放送システム。
【発明の詳細な説明】
【０００１】
【発明の属する技術分野】
本発明は、デジタル放送で放送される個別情報（ＥＭＭ：Entitlement Management Message）の更新番号の設定方法と、更新番号を付与してＥＭＭを放送するＥＭＭ放送方法と、それを実施する放送システムに関し、特に、情報量の多いＥＭＭの送信を可能にするものである。
【０００２】
【従来の技術】
デジタル放送では、番組の映像音声データに番組情報（ＥＣＭ）やＥＭＭが多重化されて放送される。
【０００３】
このＥＭＭには、ＥＣＭの暗号化に用いられるワーク鍵の情報や、各受信装置の契約情報など、個々の受信装置向けの情報が含まれ、ＥＭＭを用いて各受信装置宛に、例えば“契約して戴いて有り難うございました”“先月の視聴料が未納です”と言った契約更新や視聴料金の案内に関するメッセージを送ることも可能である。
【０００４】
ＥＭＭは、このワーク鍵や個々の受信装置向けの情報については暗号化され、その前に、受信装置のＩＤや更新番号が付加されてデータ構成される。
【０００５】
放送局側では、受信装置向けにＥＭＭを送出する場合、受信装置での受信機会を増やし、確実に受信できるようにするため、同一内容のＥＭＭを所定時間ごとに繰り返し送出する。また、ＥＭＭの情報内容を更新する場合には、ＥＭＭの更新番号を１インクリメントして送出する。
【０００６】
一方、受信装置は、自己宛のＩＤが付されたＥＭＭを受信すると、更新番号を見て、前回受信したＥＭＭの更新番号より大きい場合にのみ、そのＥＭＭを処理する。こうした手順を踏むことによって、受信装置が同一のＥＭＭを何回も処理してしまうことを防止できる。
【０００７】
図４は、このＥＭＭの送受信を行う従来の放送システムを示している。
【０００８】
このシステムは、ＥＭＭを送出する局設備１と、ＥＭＭを受信する受信機２と、ＩＣカードから成る、受信機のセキュリティモジュール３とで構成され、局設備１は、ＥＭＭを作成するＥＭＭ作成部11と、更新番号のデータベース（ＤＢ）12と、ＥＭＭに更新番号を割り当てる更新番号割り当て部13と、同一内容のＥＭＭを繰り返し送出するＥＭＭ送出部14とを具備している。
【０００９】
また、受信機２は、自己宛のＩＤが付されたＥＭＭを受信する受信部21と、ＩＣカード（セキュリティモジュール）３とのインタフェース（ＩＦ）22とを具備している。
【００１０】
また、セキュリティモジュール３は、ＥＭＭの更新番号から処理すべきものかどうかを判定する更新番号判定部23と、処理すべきＥＭＭの情報を復号化するＥＭＭ処理部24とを具備している。
【００１１】
このシステムでは、局設備１のＥＭＭ作成部11が各受信機宛の更新したＥＭＭを作成するごとに、更新番号割り当て部13は、それぞれの受信機ＩＤごとの更新番号を割り当てる。更新番号は、図５に示すように、例えば、１６ビットの数値で表示される。
【００１２】
受信機２のＥＭＭ受信部21は、自己宛のＩＤが付されたＥＭＭを受信して、ＩＣカードＩＦ22を通じて、セキュリティモジュール３に出力する。セキュリティモジュール３の更新番号判定部23は、前回受信したＥＭＭの更新番号を記憶しており、今回受信したＥＭＭの更新番号が、記憶している更新番号より大きい場合にのみ、そのＥＭＭをＥＭＭ処理部24に出力する。ＥＭＭ処理部24は、ＥＭＭが入力すると、そのＥＭＭに含まれる暗号化されている情報を復号化する。
【００１３】
セキュリティモジュール３では、入力したＥＭＭが一旦ＲＡＭに保持されて、更新番号の判定や復号化の処理が行われる。
【００１４】
【発明が解決しようとする課題】
しかし、従来のシステムでは、ＥＭＭに多くの量の情報を含めることができないという問題点がある。
【００１５】
これは、セキュリティモジュールを構成するＩＣカードのＲＡＭの容量が少ないためであり、このＲＡＭの容量が１００バイトとすると、ＥＭＭは、１００バイト以上の大きさにすることができない。
【００１６】
また、２００バイトの量の情報を、例えば１００バイトずつに分割し、更新番号として５０及び５１を付与した２つのＥＭＭを作成して送出した場合には、受信機で更新番号５１のＥＭＭが先に受信されると、更新番号５０のＥＭＭは受信できなくなってしまう。従って、従来のシステムでは、情報を分割して複数のＥＭＭで伝送することも不可能である。
【００１７】
本発明は、こうした従来の問題点を解決するものであり、情報を分割して複数のＥＭＭを作成することを可能にするＥＭＭの更新番号の設定方法を提供し、また、その更新番号を付与したＥＭＭの放送方法と、それを実施する放送システムを提供することを目的としている。
【００１８】
【課題を解決するための手段】
そこで、本発明のＥＭＭの更新番号設定方法では、ＥＭＭの更新番号を番号部とフラグ部とに分け、連続して送出するＥＭＭに対して、番号部の数値が同一でフラグ部のフラグ位置が異なる更新番号を付与するようにしている。
【００１９】
また、本発明のＥＭＭ放送方法では、送信側が、更新番号として番号部とフラグ部とに分かれた更新番号をＥＭＭに付与し、受信側は、受信したＥＭＭの更新番号の番号部の数値が、既に処理したＥＭＭの更新番号の番号部の最大の数値より大きい場合、または、受信したＥＭＭの更新番号の番号部の数値が、既に処理したＥＭＭの更新番号の番号部の最大の数値と同じであり、かつ、受信したＥＭＭの更新番号のフラグ部のフラグ位置が、番号部に最大の数値を有するＥＭＭの更新番号のフラグ部のフラグ位置と異なる場合に、受信したＥＭＭを処理するようにしている。
【００２０】
また、本発明のＥＭＭ放送システムでは、送信側装置に、ＥＭＭを作成するＥＭＭ作成手段と、情報量が所定量より多いＥＭＭを分割するＥＭＭ分割手段と、更新番号のデータベースと、更新番号のフラグを管理するフラグ管理手段と、番号部とフラグ部とに分かれた更新番号をＥＭＭに割り当てる更新番号割り当て手段とを設け、受信側のセキュリティモジュールに、ＥＭＭの更新番号の番号部の数値に基づいてＥＭＭの処理の要不要を判定する更新番号判定手段と、ＥＭＭの更新番号のフラグに基づいてＥＭＭの処理の要不要を判定するＥＭＭフラグ管理手段とを設けている。
【００２１】
そのため、ＥＭＭの情報量が多い場合には、複数のＥＭＭに分割して送信することができ、受信側では、更新番号の番号部の数値とフラグの位置とをそれぞれチェックすることにより、この複数のＥＭＭを漏れ無く処理することができ、また、重複処理する虞れも無い。
【００２２】
【発明の実施の形態】
本発明の実施形態におけるＥＭＭの更新番号設定方法について説明する。
【００２３】
更新番号は、図２に示すように、更新番号数値部と受信フラグ部とを有している。例えば、更新番号の使用枠が１６ビットである場合、次に示すように、上位１３ビットを更新番号数値部に割り当てて更新番号の数値を表示し、下位３ビットを受信フラグ部に割り当てて受信フラグを表示する。
００００００００００１１０  １００
【００２４】
ＥＭＭの情報量が多い場合には、その情報を分割して複数のＥＭＭを作成し、各ＥＭＭに更新番号数値部の数値は同じで、受信フラグ位置だけを違えた更新番号を付し、これらのＥＭＭを連続的に送信する。
【００２５】
例えば、受信機のセキュリティモジュールを構成するＩＣカードのＲＡＭの容量が１００バイトであり、ＥＭＭで伝送すべき情報量が２７０バイトであるとすると、これを、個々の情報量が１００バイト以下になるように３つに分割して、３つのＥＭＭを作成し、１つ目のＥＭＭの更新番号を、
００００００００００１１０  １００
に設定し、２つ目のＥＭＭの更新番号を、
００００００００００１１０  ０１０
に設定し、３つ目のＥＭＭの更新番号を、
００００００００００１１０  ００１
に設定する。
【００２６】
受信機のセキュリティモジュールでは、この更新番号から、それぞれのＥＭＭが、分割された情報を伝えるＥＭＭであると識別することができる。そして、更新番号数値部の数値が同じであっても、受信フラグ位置が異なるＥＭＭについては、すべて復号化処理し、また、新たに受信したＥＭＭが、既に処理したＥＭＭと、更新番号数値部の数値だけで無く、フラグ位置も同一である場合には、そのＥＭＭを廃棄する。こうすることによって、ＥＭＭの重複処理を排除しながら、分割されたＥＭＭ情報をすべて処理することができる。
【００２７】
こうした処理により、受信フラグに３ビットを割り当てたとすると、（ＩＣカードのＲＡＭ容量×３）の情報量を、分割したＥＭＭを用いて送出することが可能になる。
【００２８】
図１には、このＥＭＭの更新番号設定方法を実施する放送システムを示している。
【００２９】
局設備１は、ＥＭＭを作成するＥＭＭ作成部11と、ＥＭＭを分割するＥＭＭ分割部15と、更新番号のデータベース（ＤＢ）12と、更新番号の受信フラグを管理するフラグ管理部16と、ＥＭＭに更新番号を割り当てる更新番号割り当て部13と、ＥＭＭを送出するＥＭＭ送出部14とを具備している。
【００３０】
受信機２は、従来のシステムと同様に、ＥＭＭ受信部21及びＩＣカードＩＦ22を具備している。
【００３１】
また、セキュリティモジュール３は、ＥＭＭの更新番号の更新番号数値部について判定する更新番号判定部23と、ＥＭＭの更新番号の受信フラグについて管理するＥＭＭフラグ管理部25と、処理すべきＥＭＭの情報を復号化するＥＭＭ処理部24とを具備している。
【００３２】
このシステムでは、局設備１のＥＭＭ作成部11が各受信機宛のＥＭＭを作成する。ＥＭＭ分割部15は、作成されたＥＭＭの情報量がＩＣカード３のＲＡＭの容量を超える場合に、それぞれのＥＭＭの情報量がそのＲＡＭ容量以下になるように、ＥＭＭを複数に分割する。
【００３３】
更新番号割り当て部13は、各ＥＭＭに対して、それぞれの受信機ＩＤごとの更新番号数値部の数値と、更新番号フラグ管理部16で管理されている受信フラグとを割り当てる。
【００３４】
更新番号フラグ管理部16で管理するフラグが例えば３ビットである場合、更新番号割り当て部13は、ＥＭＭ分割部15で分割されなかったＥＭＭに対して、受信機ＩＤごとの更新番号数値に「１１１」のフラグを付加する。また、ＥＭＭ分割部15で２つに分割されたＥＭＭに対して、一方には「１１０」、他方には「００１」のフラグを付加する。また、ＥＭＭ分割部15で３つに分割されたＥＭＭに対して、それぞれ「１００」「０１０」「００１」のフラグを付加する。
【００３５】
局設備１のＥＭＭ送出部14は、更新番号が付されたＥＭＭを送出する。このとき、更新番号数値が同じであり、フラグ位置だけが異なる分割された複数のＥＭＭについては、連続的（同時）に送出する。
【００３６】
受信機２のＥＭＭ受信部21は、自己宛のＩＤが付されたＥＭＭを受信して、ＩＣカードＩＦ22を通じて、セキュリティモジュール３に出力する。
【００３７】
セキュリティモジュール３の更新番号判定部23は、ＥＭＭの更新番号の更新番号数値部の数値を、記憶している更新番号数値と比較し、更新番号数値から見て処理が不要なことが明らかなＥＭＭを排除し、それ以外のＥＭＭをＥＭＭフラグ管理部25に送る。
【００３８】
ＥＭＭフラグ管理部25は、これまでに入力した最大数値の更新番号のフラグ位置を管理する。例えば、
００００００００００１１０  １００
の更新番号に続いて、
００００００００００１１０  ０１０
の更新番号が入力すると、
００００００００００１１０  １１０
と言う形でフラグを管理し、続いて、
００００００００００１１０  ００１
が入力すると、
００００００００００１１０  １１１
と言う形でフラグを管理する。そして、更新番号判定部23から新たなＥＭＭの更新番号が入力した場合、更新番号数値がインクリメントされていれば、それまでの更新番号を廃棄して、入力した更新番号を保持し、また、更新番号数値が同じであれば、そのフラグ位置が既に１になっているかどうかに着目して、そのＥＭＭの処理が不要かどうかを判断し、処理が不要なＥＭＭを排除する。排除されなかったＥＭＭの情報は、ＥＭＭ処理部24で復号化される。
【００３９】
図３には、セキュリティモジュール３での処理フローを示している。
【００４０】
ステップ１：ＥＭＭを受信すると、
ステップ２：更新番号数値部をチェックし、ＩＣカード内に蓄積している数値より小さい場合には、
ステップ３：そのＥＭＭは処理せず、廃棄する。
【００４１】
また、ステップ２において、更新番号数値部の数値がＩＣカード内に蓄積している数値より大きい場合には、
ステップ４：そのＥＭＭを処理し、
ステップ５：更新番号を、その数値で上書きする。
【００４２】
また、ステップ２において、更新番号数値部の数値がＩＣカード内に蓄積している数値と同じ場合には、
ステップ６：更新番号のフラグ部をチェックし、送られてきたフラグ部の「１」となっているビットがすでに「１」となっている場合には、
ステップ７：そのＥＭＭは処理せず、廃棄する。
【００４３】
また、ステップ６において、送られてきたフラグ部の「１」となっているビットが「０」である場合には、
ステップ８：そのＥＭＭを処理し、
ステップ９：該当するビットを「１」とする。
【００４４】
こうした処理をセキュリティモジュールで行うことによって、ＥＭＭを分割して送ることが可能になる。
【００４５】
なお、ここでは、更新番号の受信フラグ部のビット数が３の場合について説明したが、このビット数は２であっても、あるいは４以上であっても良い。その場合、ＥＭＭを分割して送出できる情報の総量は、（ＩＣカードのＲＡＭ容量×受信フラグのビット数）となる。
【００４６】
このシステムでは、受信機に関する変更は全く無く、従来の受信機をそのまま使用することができる。
【００４７】
また、確実に処理すべきＥＭＭ情報については、局設備１の更新番号割り当て部13が、そのＥＭＭに対して特定の更新番号、例えば、
０００００００００００００  ０００
を付与し、セキュリティモジュール３では、この更新番号のＥＭＭについて無条件で処理することにより、確実な処理が必要な情報を、誤り無く伝えることが可能になる。
【００４８】
【発明の効果】
以上の説明から明らかなように、本発明によれば、多くの情報を複数のＥＭＭにより送信することができる。受信側では、この複数のＥＭＭを漏れ無く処理することができ、また、重複処理する虞れも無い。
【図面の簡単な説明】
【図１】本発明の実施形態におけるＥＭＭ放送システムの構成を示すブロック図、
【図２】本発明の実施形態におけるＥＭＭの更新番号のデータ構成を示す図、
【図３】本発明の実施形態におけるＥＭＭ放送システムの受信側の処理手順を示すフロー図、
【図４】従来のＥＭＭ放送システムの構成を示すブロック図、
【図５】従来のＥＭＭに付与される更新番号のデータ構成を示す図である。
【符号の説明】
１  局設備
２  受信機
３  セキュリティモジュール
11  ＥＭＭ作成部
12  更新番号データベース
13  更新番号割り当て部
14  ＥＭＭ送出部
15  ＥＭＭ分割部
16  フラグ管理部
21  ＥＭＭ受信部
22  ＩＣカードＩＦ
23  更新番号判定部
24  ＥＭＭ処理部
25  ＥＭＭフラグ管理部
【図１】
0004298106.tif 000002
【図２】
0004298106.tif 000003
【図３】
0004298106.tif 000004
【図４】
0004298106.tif 000005
【図５】
0004298106.tif 000006